(57)【要約】【課題】必要に応じて即座に細胞組織を提供することができ、かつ細胞組織の保管スペースや保管コストの削減する細胞組織在庫管理装置および方法並びにプログラムを提供する。【解決手段】予め設定された範囲内における少なくとも１つの疾病の患者数を取得する患者数取得部１１と、疾病の治療に用いられる患者一人当たりの細胞組織の使用数を取得する細胞組織使用数取得部１２と、患者数と細胞組織の使用数とに基づいて、予め設定された範囲内において必要とされる必要細胞組織数を算出する必要細胞組織数算出部１３と、疾病の治療に用いられる細胞組織の現在の在庫数を取得する在庫数取得部１４と、予め設定された範囲内における必要細胞組織数と在庫数とに基づいて、在庫関連情報を出力する在庫管理部１５とを備える。【選択図】図１
2016071578.tif 000002
【特許請求の範囲】
【請求項１】
予め設定された範囲内における少なくとも１つの疾病の患者数を取得する患者数取得部と、
前記疾病の治療に用いられる患者一人当たりの細胞組織の使用数を取得する細胞組織使用数取得部と、
前記患者数と前記細胞組織の使用数とに基づいて、前記予め設定された範囲内において必要とされる必要細胞組織数を算出する必要細胞組織数算出部と、
前記疾病の治療に用いられる細胞組織の現在の在庫数を取得する在庫数取得部と、
前記予め設定された範囲内における必要細胞組織数と前記在庫数とに基づいて、在庫関連情報を出力する在庫管理部とを備えたことを特徴とする細胞組織在庫管理装置。
【請求項２】
前記患者数取得部が、複数の疾病のそれぞれの患者数を取得し、
前記細胞組織使用数取得部が、前記疾病毎の前記細胞組織の使用数を取得し、
前記必要細胞組織数算出部が、前記疾病毎の患者数と前記疾病毎の細胞組織の使用数とに基づいて、前記必要細胞組織数を算出する請求項１記載の細胞組織在庫管理装置。
【請求項３】
前記患者数取得部が、前記予め設定された範囲内における年齢別の前記疾病の発生確率および前記予め設定された範囲内における年齢別の人口数を取得し、前記年齢別の疾病の発生率と前記年齢別の人口数とに基づいて、前記疾病の患者数を取得する請求項１または２記載の細胞組織在庫管理装置。
【請求項４】
前記患者数取得部が、前記予め設定された範囲内に設置された病院毎の前記疾病の患者数を取得する請求項１または２記載の細胞組織在庫管理装置。
【請求項５】
前記患者数取得部が、前記疾病の治療に用いられる細胞組織の搬送可能距離を取得し、該搬送可能距離に基づいて前記予め設定された範囲を設定する請求項１から４いずれか１項記載の細胞組織在庫管理装置。
【請求項６】
前記必要細胞組織数の調整を受け付ける必要細胞組織数調整受付部を備え、
前記在庫管理部が、前記調整後の必要細胞組織数と前記現在の在庫数とに基づいて、在庫関連情報を出力する請求項１から５いずれか１項記載の細胞組織在庫管理装置。
【請求項７】
前記必要細胞組織数に基づいて、前記疾病の治療に用いられる細胞組織の目標とする在庫数を取得する目標在庫数取得部を備え、
前記在庫管理部が、前記目標とする在庫数と前記現在の在庫数とに基づいて、在庫関連情報を出力する請求項１から６いずれか１項記載の細胞組織在庫管理装置。
【請求項８】
前記目標在庫数取得部が、前記疾病の治療に用いられる細胞組織の備蓄率を取得し、該備蓄率と前記必要細胞組織数とに基づいて、前記目標とする在庫数を取得する請求項７記載の細胞組織在庫管理装置。
【請求項９】
前記目標在庫数取得部が、前記細胞組織の種類毎の前記備蓄率を取得する請求項８記載の細胞組織在庫管理装置。
【請求項１０】
前記目標在庫数取得部が、前記疾病毎の前記備蓄率を取得する請求項８または９記載の細胞組織在庫管理装置。
【請求項１１】
前記必要細胞組織数取得部が、時期毎の前記必要細胞組織数を取得し、
前記在庫管理部が、前記現在の在庫数の細胞組織の使用期限または出荷予定日を取得し、該取得した使用期限または出荷予定日と前記時期毎の必要細胞組織数とに基づいて、新たな前記細胞組織の発注情報を前記在庫関連情報として出力する請求項１から１０いずれか１項記載の細胞組織在庫管理装置。
【請求項１２】
前記在庫管理部が、前記細胞組織の発注後の納期を取得し、該取得した納期と前記時期毎の必要細胞組織数と前記使用期限または前記出荷予定日とに基づいて、新たな前記細胞組織の発注情報を前記在庫関連情報として出力する請求項１１記載の細胞組織在庫管理装置。
【請求項１３】
前記在庫管理部が、前記細胞組織の発注後の納期と前記時期毎の必要細胞組織数と前記使用期限または前記出荷予定日とに基づいて、前記新たな細胞組織の発注時期を算出し、該発注時期に基づいて前記細胞組織の発注情報を発注先に自動的に出力する請求項１２記載の細胞組織在庫管理装置。
【請求項１４】
前記患者数取得部が、前記患者数を自動的に取得する請求項１から１３いずれか１項記載の細胞組織在庫管理装置。
【請求項１５】
前記細胞組織使用数取得部が、前記細胞組織の使用数を自動的に取得する請求項１から１４いずれか１項記載の細胞組織在庫管理装置。
【請求項１６】
前記在庫数取得部が、前記現在の在庫数を自動的に取得する請求項１から１５いずれか１項記載の細胞組織在庫管理装置。
【請求項１７】
予め設定された範囲内における少なくとも１つの疾病の患者数を取得し、
前記疾病の治療に用いられる患者一人当たりの細胞組織の使用数を取得し、
前記患者数と前記細胞組織の使用数とに基づいて、前記予め設定された範囲内において必要とされる必要細胞組織数を算出し、
前記疾病の治療に用いられる細胞組織の現在の在庫数を取得し、
前記予め設定された範囲内における必要細胞組織数と前記在庫数とに基づいて、在庫関連情報を出力することを特徴とする細胞組織在庫管理方法。
【請求項１８】
予め設定された範囲内における少なくとも１つの疾病の患者数を取得する患者数取得部と、
前記疾病の治療に用いられる患者一人当たりの細胞組織の使用数を取得する細胞組織使用数取得部と、
前記患者数と前記細胞組織の使用数とに基づいて、前記予め設定された範囲内において必要とされる必要細胞組織数を算出する必要細胞組織数算出部と、
前記疾病の治療に用いられる細胞組織の現在の在庫数を取得する在庫数取得部と、
前記予め設定された範囲内における必要細胞組織数と前記在庫数とに基づいて、在庫関連情報を出力する在庫管理部としてコンピュータを機能させることを特徴とする細胞組織在庫管理プログラム。
【発明の詳細な説明】
【技術分野】
【０００１】
本発明は、再生医療などに用いられる細胞組織の在庫管理を行う細胞組織在庫管理装置および方法並びにプログラムに関するものである。
【背景技術】
【０００２】
近年、他家細胞を用いて皮膚シート、心筋シート、網膜シートまたは軟骨ブロックなどの細胞組織を培養し、これを患者に移植することによって治療を行う再生医療が注目されている。
【０００３】
培養された細胞組織は保管が可能であり、必要に応じて保管施設から病院などの施設に提供される。たとえば、特許文献１には、歯関連組織を保管しておき、歯科医師などの要求に応じて出荷することが提案されている。
【０００４】
また、特許文献２には、細胞組織が手術に必要となる必要細胞量に到達する到達日を予測し、その到達日に基づいて、手術を行う手術予定日を決定することが提案されている。
【先行技術文献】
【特許文献】
【０００５】
【特許文献１】特開２００６−７２９２７号公報
【特許文献２】特開２０１０−１５２８２９号公報
【発明の概要】
【発明が解決しようとする課題】
【０００６】
しかしながら、特許文献１に記載のように医師からの要求に応じて細胞組織を提供するようにしたのでは、その細胞組織の在庫がない場合があり、即座に細胞組織を提供することができず、治療計画が遅れてしまう場合がある。
【０００７】
また、特許文献２に記載のように細胞組織の培養スケジュールに合わせて手術予定日を決定するようにしたのでは、細胞組織の培養が終了するまで手術予定日を延ばす必要があり、緊急性を要する手術の場合などには細胞組織の提供を受けることができない。
【０００８】
また、緊急時などに即座に細胞組織を提供できるように十分な量の細胞組織を保管しておくことも考えられるが、細胞組織の保管スペースや保管コストには制限がある。
【０００９】
本発明は、上記の問題に鑑み、必要に応じて即座に細胞組織を提供することができ、かつ細胞組織の保管スペースや保管コストの削減を図ることができる細胞組織在庫管理装置および方法並びにプログラムを提供することを目的とする。
【課題を解決するための手段】
【００１０】
本発明の細胞組織在庫管理装置は、予め設定された範囲内における少なくとも１つの疾病の患者数を取得する患者数取得部と、疾病の治療に用いられる患者一人当たりの細胞組織の使用数を取得する細胞組織使用数取得部と、患者数と細胞組織の使用数とに基づいて、予め設定された範囲内において必要とされる必要細胞組織数を算出する必要細胞組織数算出部と、疾病の治療に用いられる細胞組織の現在の在庫数を取得する在庫数取得部と、予め設定された範囲内における必要細胞組織数と在庫数とに基づいて、在庫関連情報を出力する在庫管理部とを備えたことを特徴とする。
【００１１】
また、上記本発明の細胞組織在庫管理装置においては、患者数取得部は、複数の疾病のそれぞれの患者数を取得し、細胞組織使用数取得部は、疾病毎の細胞組織の使用数を取得し、必要細胞組織数算出部は、疾病毎の患者数と疾病毎の細胞組織の使用数とに基づいて、必要細胞組織数を算出することができる。
【００１２】
また、患者数取得部は、予め設定された範囲内における年齢別の疾病の発生確率および予め設定された範囲内における年齢別の人口数を取得し、年齢別の疾病の発生率と年齢別の人口数とに基づいて、疾病の患者数を取得することができる。
【００１３】
また、患者数取得部は、予め設定された範囲内に設置された病院毎の疾病の患者数を取得することができる。
【００１４】
また、患者数取得部は、疾病の治療に用いられる細胞組織の搬送可能距離を取得し、その搬送可能距離に基づいて予め設定された範囲を設定することができる。
【００１５】
また、必要細胞組織数の調整を受け付ける必要細胞組織数調整受付部を備え、在庫管理部は、調整後の必要細胞組織数と現在の在庫数とに基づいて、在庫関連情報を出力することができる。
【００１６】
また、必要細胞組織数に基づいて、疾病の治療に用いられる細胞組織の目標とする在庫数を取得する目標在庫数取得部を備え、在庫管理部は、目標とする在庫数と現在の在庫数とに基づいて、在庫関連情報を出力することができる。
【００１７】
また、目標在庫数取得部は、疾病の治療に用いられる細胞組織の備蓄率を取得し、その備蓄率と必要細胞組織数とに基づいて、目標とする在庫数を取得することができる。
【００１８】
また、目標在庫数取得部は、細胞組織の種類毎の備蓄率を取得することができる。
【００１９】
また、目標在庫数取得部は、疾病毎の備蓄率を取得することができる。
【００２０】
また、必要細胞組織数取得部は、時期毎の必要細胞組織数を取得し、在庫管理部は、現在の在庫数の細胞組織の使用期限または出荷予定日を取得し、その取得した使用期限または出荷予定日と時期毎の必要細胞組織数とに基づいて、新たな細胞組織の発注情報を在庫関連情報として出力することができる。
【００２１】
また、在庫管理部は、細胞組織の発注後の納期を取得し、その取得した納期と時期毎の必要細胞組織数と使用期限または出荷予定日とに基づいて、新たな細胞組織の発注情報を在庫関連情報として出力することができる。
【００２２】
また、在庫管理部は、細胞組織の発注後の納期と時期毎の必要細胞組織数と使用期限または出荷予定日とに基づいて、新たな細胞組織の発注時期を算出し、その発注時期に基づいて細胞組織の発注情報を発注先に自動的に出力することができる。
【００２３】
また、患者数取得部は、患者数を自動的に取得することができる。
【００２４】
また、細胞組織使用数取得部は、細胞組織の使用数を自動的に取得することができる。
【００２５】
また、在庫数取得部は、現在の在庫数を自動的に取得することができる。
【００２６】
本発明の細胞組織在庫管理方法は、予め設定された範囲内における少なくとも１つの疾病の患者数を取得し、疾病の治療に用いられる患者一人当たりの細胞組織の使用数を取得し、患者数と細胞組織の使用数とに基づいて、予め設定された範囲内において必要とされる必要細胞組織数を算出し、疾病の治療に用いられる細胞組織の現在の在庫数を取得し、予め設定された範囲内における必要細胞組織数と在庫数とに基づいて、在庫関連情報を出力することを特徴とする。
【００２７】
本発明の細胞組織在庫管理プログラムは、予め設定された範囲内における少なくとも１つの疾病の患者数を取得する患者数取得部と、疾病の治療に用いられる患者一人当たりの細胞組織の使用数を取得する細胞組織使用数取得部と、患者数と細胞組織の使用数とに基づいて、予め設定された範囲内において必要とされる必要細胞組織数を算出する必要細胞組織数算出部と、疾病の治療に用いられる細胞組織の現在の在庫数を取得する在庫数取得部と、予め設定された範囲内における必要細胞組織数と在庫数とに基づいて、在庫関連情報を出力する在庫管理部としてコンピュータを機能させることを特徴とする。
【発明の効果】
【００２８】
本発明の細胞組織在庫管理装置および方法並びにプログラムによれば、予め設定された範囲内における少なくとも１つの疾病の患者数を取得し、疾病の治療に用いられる患者一人当たりの細胞組織の使用数を取得し、患者数と細胞組織の使用数とに基づいて、予め設定された範囲内において必要とされる必要細胞組織数を算出する。そして、疾病の治療に用いられる細胞組織の現在の在庫数を取得し、この在庫数と上記必要細胞組織数とに基づいて在庫関連情報を出力するようにしたので、予め取得した上記必要細胞組織数に合わせて細胞組織の在庫数の管理を行うことができ、これにより必要に応じて即座に細胞組織を提供することができる。
【００２９】
また、上述したように必要細胞組織数を算出する際、予め設定された範囲内の患者に用いられる細胞組織の数に限定し、また、患者一人当たりに用いられる細胞組織の数も考慮して必要細胞組織数を算出しているので、無駄なく適切な量の必要細胞組織数を算出することができ、細胞組織の保管スペースや保管コストの削減を図ることができる。
【図面の簡単な説明】
【００３０】
【図１】本発明の細胞組織在庫管理装置の一実施形態を用いた細胞組織在庫管理システムの概略構成を示すブロック図
【図２】予め設定された範囲内に含まれる各都道府県における疾病毎の患者数の一例を示す図
【図３】疾病毎の患者一人当たりの細胞組織の使用数の一例を示す図
【図４】細胞組織ストック装置の概略構成図
【図５】現在の在庫数と必要細胞組織数の比較表示の一例を示す図
【図６】現在の在庫数と必要細胞組織数の比較結果の表示例を示す図
【図７】本発明の細胞組織在庫管理装置の一実施形態を用いた細胞組織在庫管理システムの作用を説明するためのフローチャート
【図８】予め設定された範囲内における疾病毎の年齢別の発生確率の一例を示す図
【図９】予め設定された範囲内における年齢別の人口数の一例を示す図
【図１０】細胞組織の種類と搬送可能距離とを対応づけたテーブルの一例を示す図
【図１１】図１に示す細胞組織在庫管理システムの変形例を示すブロック図
【図１２】細胞組織の種類と備蓄率とを対応づけたテーブルの一例を示す図
【図１３】細胞組織の種類および疾患の種類と備蓄率とを対応づけたテーブルの一例を示す図
【図１４】細胞組織毎の必要細胞組織数の一例を示す図
【図１５】細胞組織毎の発注時期および発注数量を一日単位で算出する方法を説明するための図
【図１６】細胞組織毎の発注時期および発注数量を月単位で算出する方法を説明するための図
【図１７】図１に示す細胞組織在庫管理システムのその他の在庫管理方法を説明するためのフローチャート
【図１８】必要細胞組織数の経時変化と在庫数の経時変化との関係、および在庫追加必要日と発注に関する情報の出力タイミングとの関係の一例を示す図
【発明を実施するための形態】
【００３１】
以下、本発明の細胞組織在庫管理装置および方法並びにプログラムの一実施形態を用いた細胞組織在庫管理システムについて、図面を参照しながら詳細に説明する。図１は、本実施形態の細胞組織在庫管理システム１の概略構成を示すブロック図である。
【００３２】
本実施形態の細胞組織在庫管理システム１は、再生医療用の細胞組織を保管し、その保管した細胞組織が病院や研究所などに提供された後の在庫数の管理を行うものである。具体的には、本実施形態の細胞組織在庫管理システム１は、図１に示すように、細胞組織在庫管理装置１０と、入力装置２０と、表示装置３０と、細胞組織ストック装置４０とを備えている。また、本実施形態の細胞組織在庫管理システム１には、インターネットまたはＬＡＮ（Local Area Network）などを介して患者情報管理サーバ２および細胞情報管理サーバ３が接続されている。
【００３３】
細胞組織在庫管理装置１０は、患者数取得部１１と、細胞組織使用数取得部１２と、必要細胞組織数算出部１３と、在庫数取得部１４と、在庫管理部１５と、制御部１６とを備えている。細胞組織在庫管理装置１０は、コンピュータに対して本発明の細胞組織在庫管理プログラムの一実施形態がインストールされたものである。細胞組織在庫管理装置６０は、中央処理装置、半導体メモリおよびハードディスクなどを備えており、ハードディスクに細胞組織在庫管理プログラムの一実施形態がインストールされている。そして、このプログラムが制御部１６に設けられた中央処理装置によって実行されることによって、図１に示すような、患者数取得部１１、細胞組織使用数取得部１２、必要細胞組織数算出部１３、在庫数取得部１４および在庫管理部１５が動作する。
【００３４】
患者数取得部１１は、予め設定された範囲内における少なくとも１つの疾病の患者数を取得するものである。本実施形態の患者数取得部１１は、複数の疾病について、予め設定された範囲に存在する患者数をそれぞれ取得するものである。予め設定された範囲内としては、たとえば疾患の治療に用いられる細胞組織がストックされる施設を基準地点として、その基準地点から予め設定された距離の範囲内とすることができる。基準地点からの距離は予め一定の距離を設定しておいてもよいし、ユーザが入力装置２０を用いて任意に設定入力するようにしてもよい。また、予め設定された範囲は、必ずしも上述したような基準地点からの距離の範囲でなくてもよく、たとえば関東地方や東京都内などといった範囲でもよい。
【００３５】
患者数取得部１１は、具体的には、たとえば予め設定された範囲内に含まれる各都道府県における疾病毎の患者数を取得するものである。図２は、Ｘ県、Ｙ県およびＺ県に存在する疾病ａの患者数（１０＋２０＋３０＝６０）と、Ｘ県、Ｙ県およびＺ県に存在する疾病ｂの患者数（５＋３＋２＝１０）と、Ｘ県、Ｙ県およびＺ県に存在する疾病ｃの患者数（５＋５＋４＝１４）との一例を示したものである。患者数取得部１１は、図２に示すような各県に存在する患者数を合計することによって疾病毎の患者数を取得するものである。
【００３６】
疾病の種類としては、たとえば、火傷などの皮膚疾患、虚血性心疾患および心筋症などの心疾患、変形性などの軟骨疾患、加齢黄斑変性および角膜損傷などの眼の疾患、脊髄損傷などの神経の疾患、肝臓疾患、腎臓疾患、および白血病などの血液疾患などがある。疾病の種類については、予め設定しておくようにしてもよいし、ユーザが入力装置２０を用いて任意に設定、変更、追加および削除などするようにしてもよい。
【００３７】
また、本実施形態の患者数取得部１１は、上述したような各都道府県に存在する疾病毎の患者数を患者情報管理サーバ２から取得するものである。
【００３８】
患者情報管理サーバ２は、各都道府県に存在する疾病毎の患者数が設定登録されたものであり、たとえば各都道府県などの自治体が、病院施設などからの患者情報を収集して設定登録したデータサーバである。患者情報管理サーバ２と細胞組織在庫管理システム１とは、上述したようにインターネットやＬＡＮなどを介して接続されている。患者数取得部１１は、ユーザによる指示入力に応じてまたは自動的に患者情報管理サーバ２にアクセスし、上述したような各都道府県に存在する疾病毎の患者数を患者情報管理サーバ２から取得するものである。
【００３９】
なお、本実施形態においては、上述したように患者数取得部１１が患者情報管理サーバ２にアクセスして疾病毎の患者数を取得するようにしたが、これに限らず、たとえば細胞組織在庫管理装置１０における制御部１６が、図２に示すようなテーブルを表示装置３０に表示させ、テーブル内における患者数の欄にユーザが入力装置２０を用いて設定入力するようにしてもよい。そして、制御部１６が、ユーザによって設定入力された各都道府県の患者数を疾病毎に加算し、患者数取得部１１が、制御部１６によって算出された疾病毎の患者数を取得するようにしてもよい。
【００４０】
また、上記説明では、各都道府県に存在する疾病毎の患者数を取得するようにしたが、これに限らず、たとえば予め設定された距離の範囲内における病院、大学、研究所、企業および保健所などの機関毎に設定登録された疾病毎の患者数を取得するようにしてもよい。
【００４１】
細胞組織使用数取得部１２は、疾病の治療に用いられる患者一人当たりの細胞組織の使用数を取得するものである。本実施形態の細胞組織使用数取得部１２は、具体的には、疾病毎の患者一人当たりの細胞組織の使用数を取得するものであり、その数は実際に細胞組織に用いられる実数であってもよいし、途中でロスする率を見込んで実数よりも多めに設定される数でもよい。図３は、疾病ａの治療に使用される細胞組織Ｐの患者一人当たりの使用数（５）、疾病ｂの治療に使用される細胞組織Ｑの患者一人当たりの使用数（３）、および疾病ｃの治療に使用される細胞組織Ｒの患者一人当たりの使用数（１）の一例を示すものである。各疾病の治療に使用される細胞組織としては、たとえば火傷の治療に使用される皮膚シート、心疾患の治療に使用される心筋シート、軟骨疾患の治療に使用される軟骨ブロック、眼の疾患の治療に使用される網膜シートや角膜シート、脊髄損傷の治療に利用される神経組織、血液疾患の治療に使用される血液などがある。また、疾病の種類については、予め設定しておくようにしてもよいし、ユーザが入力装置２０を用いて任意に設定、変更、追加および削除などするようにしてもよい。また、１つの疾病に使用される細胞組織の種類は、１つに限らず、１つの疾病に対して複数種類の細胞組織の使用数を取得するようにしてもよい。たとえば、肝硬変などの肝臓病の治療に用いられる肝臓組織は、前駆細胞と、間葉系細胞と、血管内皮細胞との３種類の細胞から形成されるので、これらの細胞の使用数を取得するようにしてもよい。
【００４２】
また、本実施形態の細胞組織使用数取得部１２は、上述したような疾病毎の細胞組織の使用数を細胞情報管理サーバ３から取得するものである。
【００４３】
細胞情報管理サーバ３は、各疾病の治療に使用される患者一人当たりの使用数が設定登録されたものであり、たとえば病院、研究所および自治体などに設置されたデータサーバである。細胞情報管理サーバ３と細胞組織在庫管理システム１とは、上述したようにインターネットやＬＡＮなどを介して接続されている。細胞組織使用数取得部１２は、ユーザによる指示入力に応じてまたは自動的に細胞情報管理サーバ３にアクセスし、上述したような各疾病の治療に使用される患者一人当たりの使用数を細胞情報管理サーバ３から取得するものである。
【００４４】
なお、本実施形態においては、上述したように細胞組織使用数取得部１２が細胞情報管理サーバ３にアクセスして疾病毎の患者数を取得するようにしたが、これに限らず、たとえば細胞組織在庫管理装置１０における制御部１６が、図３に示すようなテーブルを表示装置３０に表示させ、テーブル内における患者一人当たり使用数の欄にユーザが入力装置２０を用いて設定入力するようにしてもよい。
【００４５】
必要細胞組織数算出部１３は、上述した予め設定された範囲内において、疾病毎に必要とされる細胞組織の数を推定して算出するものである。具体的には、本実施形態の必要細胞組織数算出部１３は、患者数取得部１１によって取得された疾病毎の患者数と細胞組織使用数取得部１２によって取得された疾病毎の患者一人当たりの細胞組織の使用数とを乗算して、必要細胞組織数を算出するものである。
【００４６】
在庫数取得部１４は、各疾病の治療に用いられる細胞組織の現在の在庫数に関する情報を取得するものである。本実施形態の在庫数取得部１４は、細胞組織の在庫数に関する情報を細胞組織ストック装置４０から取得するものである。
【００４７】
細胞組織ストック装置４０は、各疾病の治療に用いられる細胞組織が保管される装置である。図４は、細胞組織ストック装置４０の概略構成図である。具体的には、細胞組織ストック装置４０は、図４に示すように、保存部４１と、細胞情報取得部４２と、制御装置４３とを備えている。
【００４８】
保存部４１は、各疾病の治療に用いられる細胞組織が保管される保管室と、保管室の温度や湿度などを制御する制御部とを備えたものである。保存部４１の保管室に保管される細胞組織は、所定の培養施設で培養された細胞組織である。また、保存部４１の保管室に保管された細胞組織は、病院などといった細胞組織を利用する施設に出荷されるものである。
【００４９】
細胞情報取得部４２は、保存部４１に新たな細胞組織が搬入された際、および出荷または破棄のために保存部４１から細胞組織が搬出された際に、その細胞組織の搬入および搬出に関する情報を取得するものである。具体的には、細胞情報取得部４２は、バーコードリーダなどの情報読取装置を備えたものである。
【００５０】
保存部４１から細胞組織が搬入または搬出される際には、その細胞組織が収容された容器が細胞情報取得部４２を通過する。そして、細胞情報取得部４２は、通過する容器に付加されたバーコードをバーコードリーダによって読み取ることにより、細胞組織の搬入および搬出に関する情報を取得するものである。
【００５１】
なお、本実施形態においては、上述したように容器に付加されたバーコードを読み取ることによって情報を取得するようにしたが、これに限らず、容器にＲＦＩＤ（radio frequency identifier）などのその他の情報記憶媒体を設け、その情報記憶媒体から情報を読み出すようにしてもよい。
【００５２】
下表１は、細胞組織の搬入および搬出に関する情報の一例を示すものである。下表１に示すように、細胞組織の搬入および搬出に関する情報としては、搬入および搬出される細胞組織を識別するためのＩＤ（identification）番号、細胞組織の保存部４１への搬入日、細胞組織の使用期限日と、細胞組織が保管された保存部４１の識別番号、細胞組織の搬出日、および細胞組織の搬出理由（出荷または破棄など）などがある。
【００５３】
【表１】
2016071578.tif 000003
制御装置４３は、コンピュータから構成されるものであり、保存部４１に対して温度や湿度などといった保管条件を出力したり、細胞情報取得部４２によって取得された情報を受け付け、その情報に基づいて細胞組織毎の在庫数の情報を生成したりするものである。下表２は、細胞組織毎の在庫数の情報の一例を示したものである。
【００５４】
【表２】
2016071578.tif 000004
細胞組織毎の在庫数の情報としては、上表２に示すように、細胞組織毎の現在の在庫数、細胞組織毎のＩＤ番号の一覧、細胞組織毎の最短使用期限日、および細胞組織毎の最短使用期限切れ数量などがある。ＩＤ番号一覧とは、保存部４１に保管されている同じ種類の細胞組織のＩＤ番号の一覧を示すものである。また、最短使用期限日とは、ＩＤ番号一覧に示されているＩＤ番号の細胞組織の使用期限日のうち、現時点に最も近い使用期限日のことである。
【００５５】
そして、制御装置４３は、上表２に示す細胞組織毎の在庫数の情報を細胞組織在庫管理装置１０に出力するものであり、在庫数取得部１４は、制御装置４３から出力された上記情報を取得するものである。
【００５６】
また、制御装置４３は、キーボードやマウスなどの入力デバイス４４と、液晶ディスプレイなどの表示デバイス４５とを備えている。入力デバイス４４は、保存部４１の保管条件などの種々の設定入力を受け付けるものである。また、入力デバイス４４によって、上述した細胞組織毎の在庫数の情報の修正や細胞組織の搬入および搬出に関する情報の修正を受け付けるようにしてもよい。表示デバイス４５は、上表１に示した細胞組織の搬入および搬出に関する情報や、上表２に示した細胞組織毎の在庫数の情報などを表示するものである。
【００５７】
なお、本実施形態の制御装置４３は、入力デバイス４４と表示デバイス４５とを独立したデバイスとして構成しているが、機能的に等価であればよく、たとえばタブレットＰＣや携帯端末などのように入力デバイスと表示デバイスが一つのデバイスで実現されていてもよい。
【００５８】
図１に戻り、在庫管理部１５は、必要細胞組織数算出部１３によって取得された細胞組織毎の必要細胞組織数と、在庫管理部１５によって取得された細胞組織毎の現在の在庫数に関する情報とに基づいて、在庫関連情報を出力するものである。
【００５９】
在庫関連情報は、細胞組織の現在の在庫数に関連する情報であり、たとえば図５に示すような現在の在庫数と必要細胞組織数とを比較表示するための表示制御情報、図６に示すような現在の在庫数と必要細胞組織数とを比較した結果を表示するための表示制御情報、および現在の在庫数が必要細胞組織数よりも少ないことをメッセージなどで報知する報知制御情報などがある。また、上記情報の他にも、現在の在庫数が必要細胞組織数よりも少ない場合に、培養施設への発注を促すメッセージなどを表示させる表示制御情報や培養施設へ自動的に発注を行う自動発注情報などがある。
【００６０】
制御部１６は、細胞組織在庫管理装置１０全体を制御するものである。特に、本実施形態の制御部１６は、上述したように表示装置３０に図２および図３に示すようなテーブルを表示させたり、また、在庫管理部１５から出力された在庫関連情報に基づいて、所定の表示を行わせたりするものである。具体的には、制御部１６は、図５に示すような比較表示や図６に示すような比較結果表示を表示装置３０に行わせるものである。また、制御部１６は、現在の在庫数が必要細胞組織数よりも少ないこと示すメッセージや、培養施設への発注を促すメッセージなどの表示を表示装置３０に行わせるものである。
【００６１】
入力装置２０は、キーボードやマウスなどの入力デバイスを備えたものであり、ユーザによる種々の設定入力を受け付けるものである。表示装置３０は、液晶デバイスなどの表示デバイスを備えたものであり、上述したような種々の情報を表示するものである。
【００６２】
次に、上記実施形態の細胞組織在庫管理システム１の作用について、図７に示すフローチャートを参照しながら説明する。
【００６３】
まず、ユーザによる入力装置２０からの指示入力に応じて、患者数取得部１１は、患者情報管理サーバ２にアクセスし、患者情報管理サーバ２から予め設定された範囲内における疾病毎の患者数を自動的に取得し、その疾病毎の患者数を必要細胞組織数算出部１３に出力する（Ｓ１０）。
【００６４】
また、この際、細胞組織使用数取得部１２は、細胞情報管理サーバ３にアクセスし、細胞情報管理サーバ３から疾病の治療に用いられる患者一人当たりの細胞組織の使用数を自動的に取得し、疾病毎の細胞組織の使用数を必要細胞組織数算出部１３に出力する（Ｓ１２）。
【００６５】
そして、必要細胞組織数算出部１３は、入力された疾病毎の患者数と疾病毎の細胞組織の使用数とを乗算することによって、予め設定された範囲内において必要とされる必要細胞組織数を細胞組織毎に算出し、その算出した細胞組織毎の必要細胞組織数を在庫管理部１５に出力する（Ｓ１４）。
【００６６】
一方、ユーザによる入力装置２０からの指示入力に応じて、在庫数取得部１４は、細胞組織ストック装置４０にアクセスし、上表２に示した細胞組織毎の在庫数の情報を自動的に取得し、その取得した細胞組織毎の在庫数の情報を在庫管理部１５に出力する（Ｓ１６）。
【００６７】
そして、在庫管理部１５は、入力された予め設定された範囲内における細胞組織毎の必要細胞組織数と細胞組織毎の在庫数とに基づいて、上述した在庫関連情報を制御部１６に出力する。
【００６８】
制御部１６は、入力された在庫関連情報に基づいて、表示装置３０に所定の表示を行わせたり、または細胞組織の培養施設に自動発注情報を出力したりする（Ｓ１８）。
【００６９】
上記実施形態の細胞組織在庫管理システム１によれば、予め設定された範囲内における疾病毎の患者数を取得し、疾病の治療に用いられる患者一人当たりの細胞組織の使用数を取得し、患者数と細胞組織の使用数とに基づいて、予め設定された範囲内において必要とされる必要細胞組織数を算出し、その必要細胞組織数と在庫数とに基づいて在庫関連情報を出力するようにしたので、予め取得した上記必要細胞組織数に合わせて細胞組織の在庫数の管理を行うことができ、これにより必要に応じて即座に細胞組織を提供することができる。
【００７０】
また、必要細胞組織数を算出する際、予め設定された範囲内の患者に用いられる細胞組織の数に限定し、また、患者一人当たりに用いられる細胞組織の数も考慮して必要細胞組織数を算出しているので、無駄なく適切な量の必要細胞組織数を算出することができ、細胞組織の保管スペースや保管コストの削減を図ることができる。
【００７１】
なお、上記実施形態の細胞組織在庫管理システム１においては、患者数取得部１１が、予め設定された範囲内における各都道府県に存在する疾病毎の患者数を取得するようにしたが、予め設定された範囲内の疾病毎の患者数の取得方法は、これに限られるものではない。たとえば、患者数取得部１１が、図８に示すような、予め設定された範囲内における疾病毎の年齢別の発生確率と、図９に示すような、予め設定された範囲内における年齢別の人口数とを取得し、年齢別の人口数と年齢別の疾病の発生確率とを乗算して加算することによって、疾病毎の患者数を取得するようにしてもよい。
【００７２】
なお、予め設定された範囲内における疾病毎の年齢別の発生確率と、予め設定された範囲内における年齢別の人口数とについては、たとえば病院や自治体などに設置されたデータサーバに設定登録されたものを用いることができる。患者数取得部１１は、インターネットなどを介して上記データサーバにアクセスし、上述した疾病毎の年齢別の発生確率や年齢別の人口数を自動的に取得することができる。
【００７３】
また、上述したようにデータサーバにアクセスして患者数の情報を取得するのではなく、たとえば、制御部１６が、図８および図９に示すようなテーブルを表示装置３０に表示させ、ユーザが年齢別の人口数の欄や年齢別の発生確率の欄に、入力装置２０を用いて数値を設定入力するようにしてもよい。
【００７４】
また、上記実施形態の細胞組織在庫管理システム１において、疾病毎の患者数を取得する範囲は、たとえば疾病の治療に用いられる細胞組織の搬送可能距離に基づいて設定するようにしてもよい。細胞組織の搬送可能距離とは、保存部４１から搬出後に細胞組織が生存している時間により決まる距離であり、細胞組織が所定の搬送速度で搬送された場合に、細胞組織を生存した状態で搬送することができる距離のことである。このように患者数を取得する範囲を細胞組織の搬送可能距離に基づいて設定することによって、現実的に搬送可能範囲における必要細胞組織数を算出することができる。
【００７５】
具体的には、たとえば図１０に示すような細胞組織の種類と搬送可能距離とを対応づけたテーブルを患者数取得部１１に予め設定し、患者数取得部１１が、ユーザによって選択された細胞組織の搬送可能距離を取得し、その搬送可能距離に基づいて、疾病毎の患者数を取得する範囲を設定するようにしてもよい。たとえば本実施形態の細胞組織在庫管理システム１が設置された位置を基準地点とし、この基準地点から上述した搬送可能距離の範囲を疾病毎の患者数を取得する範囲とすればよい。
【００７６】
なお、図１０に示すテーブルの搬送可能距離は、ユーザが入力装置２０を用いて任意に設定入力できるようにしてもよい。また、搬送可能距離は、たとえば車、電車または人などといった細胞組織の搬送手段の搬送速度によって変わってくるので、搬送手段毎または搬送速度毎に搬送可能距離のテーブルを設定しておき、搬送手段または搬送速度と細胞組織との入力に基づいて搬送可能距離を取得するようにしてもよい。
【００７７】
また、上記実施形態の細胞組織在庫管理システム１において、必要細胞組織数算出部１３において算出された必要細胞組織数を、ユーザが入力装置２０を用いて調整するようにしてもよい。この場合、本実施形態における入力装置２０が、本発明の必要細胞組織数調整受付部に相当する。このように必要細胞組織数をユーザが調整可能にすることによって、ユーザが実際の現時点における疾患の発生状態などに基づいて必要細胞組織数を調整することができ、より精度の高い細胞組織の在庫管理を行うことができる。
【００７８】
また、上記実施形態の細胞組織在庫管理システム１の在庫管理部１５においては、上述した必要細胞組織数と在庫数とを比較して在庫関連情報を出力するようにしたが、細胞組織の種類によっては、必ずしも必要細胞組織数を確保しなくても良いものもある。たとえば火傷の治療に用いられる皮膚シートについては、火傷が大面積の場合、生存率に直結するため、必要細胞組織数に近い数を在庫として確保する必要がある。
【００７９】
一方、肝臓病の治療に用いられる肝臓組織や加齢黄斑変性の治療に用いられる網膜シートについては、肝臓病や加齢黄斑変性のような慢性疾患の場合、細胞組織の発注後納期に対して進行が充分遅く生存率に大きく関与するものではないため、細胞組織の移植が必要と判断された後に在庫数を確保しても特に問題がない。すなわち、必要細胞組織数よりも少ない数を在庫として確保しても問題がない。また、在庫数はできるだけ少ない方が、細胞組織を保管するスペースも少なくてよく、保管コストも削減することができる。
【００８０】
そこで、細胞組織の種類毎について目標とする在庫数を取得し、在庫管理部１５が、その目標とする在庫数と現在の在庫数とに基づいて、在庫関連情報を出力するようにしてもよい。図１１は、上述した目標とする在庫数に基づいて在庫管理を行う細胞組織在庫管理装置５０を用いた細胞組織在庫管理システム４の概略構成を示すものである。具体的には、図１１に示す細胞組織在庫管理装置５０は、目標とする在庫数を取得する目標在庫数取得部１７をさらに備えている。
【００８１】
目標在庫数取得部１７には、図１２に示すような細胞組織の種類と備蓄率とを対応づけたテーブルが予め設定されている。そして、目標在庫数取得部１７は、必要細胞組織数算出部１３において算出された細胞組織毎の必要細胞組織数を取得し、その細胞組織毎の必要細胞組織数と上記テーブルに設定された細胞組織毎の備蓄率とを乗算することによって、細胞組織毎の目標とする在庫数を取得するものである。
【００８２】
なお、細胞組織毎の備蓄率としては、たとえば細胞組織が網膜シートや軟骨ブロックである場合には、相対的に低い準備率が設定され、細胞組織が皮膚シートや心筋シートである場合には、相対的に高い準備率が設定される。また、組織細胞毎の備蓄率については、予め一定の値を設定してもよいし、ユーザが入力装置２０を用いて任意に設定入力してもよい。または、目標在庫数取得部１７が、組織種類毎の備蓄率が設定登録された外部のデータサーバにアクセスして取得するようにしてもよい。
【００８３】
目標在庫数取得部１７によって取得された細胞組織毎の目標とする在庫数は、在庫管理部１５に出力される。在庫管理部１５は、必要細胞組織数に代えて目標とする在庫数と現在の在庫数とを比較することによって、在庫関連情報を出力する。
【００８４】
また、上記説明では、細胞組織の種類毎に備蓄率を設定するようにしたが、たとえば同じ細胞組織でも疾患によって緊急性が高いものと、緊急性が低いものとがある。たとえば細胞組織が皮膚シートである場合、火傷のような緊急性が高い疾患の治療に用いられる場合と、慢性的な皮膚疾患のような緊急性が低い疾患の治療に用いられる場合とがある。
【００８５】
そこで、図１３に示すように、細胞組織の種類だけでなく、さらに疾患毎の備蓄率を予めテーブルに設定するようにしてもよい。なお、この場合、必要細胞組織数算出部１３も、細胞組織の種類および疾患の種類に応じた必要細胞組織数を算出し、この必要細胞組織数と細胞組織の種類および疾患の種類に応じた備蓄率とが乗算されて目標とする在庫数が算出される。
【００８６】
そして、同じ細胞組織について疾患毎に算出された目標とする在庫数が加算された値が在庫管理部１５に出力され、在庫管理部１５は、その加算された値と細胞組織毎の現在の在庫数とを比較することによって、在庫関連情報を出力する。
【００８７】
また、時期によって相対的に多く発生する疾病の種類は異なり、すなわち時期によって細胞組織毎の必要とする在庫数は異なる。具体的には、冬季には火傷や心筋梗塞などが多くなるため、これらの治療に用いられる皮膚シートや心筋シートなどの細胞組織は夏季よりも多く必要となる。そこで、図１２に示す細胞組織毎の備蓄率を月毎や季節毎に設定しておき、同じ細胞組織について、月毎または季節毎に異なる備蓄率を設定するようにしてもよい。
【００８８】
また、上記実施形態の細胞組織在庫管理システム１において、在庫管理部１５が、培養施設への発注を促すメッセージを表示させる表示制御情報や、培養施設へ自動的に発注を行う自動発注情報を出力する場合、その発注時期および発注数量などの発注情報を自動的に算出して表示装置３０に表示させたり、培養施設へ出力したりしてもよい。以下、発注時期と発注数量の算出方法について説明する。
【００８９】
まず、発注時期や発注数量を算出する場合には、患者数取得部１１は、図２に示すような疾病毎の患者数を日毎に取得するものである。なお、ここで取得する日毎の患者数は、推定された患者数でもよいし、過去のデータに基づく患者数でもよい。具体的には、たとえば現在の日付が２０１４年１０月５日である場合、２０１４年１０月３０日の疾病毎の患者数については、何かしらの根拠に基づいて推定された患者数でもよいし、１年前の２０１３年１０月３０日の疾病毎の患者数と同じとして、２０１３年１０月３０日の実際の疾病毎の患者数を２０１４年１０月３０日の疾病毎の患者数として取得するようにしてもよい。
【００９０】
そして、必要細胞組織数算出部１３は、上述したようにして取得された日毎の疾病毎の患者数と疾病毎の患者一人当たりの細胞組織の使用数とに基づいて、図１４に示すような細胞組織毎の必要細胞組織数を日毎に算出する。
【００９１】
在庫管理部１５は、図１５に示すように、細胞組織毎の現在の在庫数と、細胞組織毎の最短使用期限日と、最短使用期限日に期限が切れる細胞組織の数量と、最短使用期限日における必要細胞組織数と、細胞組織毎の発注後納期とを取得する。そして、在庫管理部１５は、細胞組織Ｐについては、最短使用期限日（２０１４年１０月３０日）から発注後納期（２０日）を差し引いた日（２０１４年１０月１０日）を発注時期として算出する。また、在庫管理部１５は、現在の在庫数（２０）から最短使用期限日に期限が切れる細胞組織の数量（１０）を減算し、最短使用期限日における必要細胞組織数（１５）から上記減算結果（１０）を減算した値（５）を発注数量として算出する。
【００９２】
なお、細胞組織毎の発注後納期については、ユーザが入力装置２０を用いて設定入力してもよいし、在庫管理部１５が、組織種類毎の発注後納期が設定登録された外部のデータサーバにアクセスして自動的に取得するようにしてもよい。
【００９３】
また、上述したように１日単位の発注数量を取得するのではなく、１０日単位や一か月単位の発注数量とその発注時期とを取得するようにしてもよい。具体的には、在庫管理部１５が、細胞組織Ｐの１０月の発注時期と発注数量とを取得する場合には、図１６に示すように、細胞組織ＰのＩＤ番号毎の現在の在庫数と、ＩＤ番号毎の使用期限日と、ＩＤ番号毎の使用期限日に期限が切れる細胞組織の数量と、１０月における必要細胞組織数と、細胞組織Ｐの発注後納期とを取得する。そして、在庫管理部１５は、細胞組織Ｐの１０月における使用期限日のうちの最短使用期限日（２０１４年１０月２９日）から発注後納期（２０日）を差し引いた日（２０１４年１０月９日）を発注時期として算出する。また、在庫管理部１５は、細胞組織Ｐの全ての現在の在庫数の加算値（２０）から１０月が使用期限日である細胞組織の数量（２および８）を減算し、１０月における必要細胞組織数（１５）から上記減算結果（１０）を減算した値（５）を発注数量として算出する。
【００９４】
また、上記説明では、発注後納期を考慮して発注時期を決定するようにしたが、これに限らず、最短使用期限日を発注時期とするようにしてもよい。また、図１５および図１６における最短使用期限日は、保存部４１からの最短出荷予定日とすることができる。最短使用期限日と最短出荷予定部との両方とも、保存部４１から細胞組織が搬出される予定の日である。
【００９５】
また、上記実施形態の細胞組織在庫管理システム１における在庫管理部１５は、図１７に示すフローチャートのように、現在の在庫数Ｎよりも必要細胞組織数Ｍの方が大きい場合に（Ｓ２０，ＹＥＳ）、培養施設への発注を促すメッセージを表示させる表示制御情報や、培養施設へ自動的に発注を行う自動発注情報を出力するが（Ｓ２２）、必要細胞組織数が現在の在庫数以下である場合にも（Ｓ２０，ＮＯ）、使用期限による在庫数の自然減や出荷のために在庫数が必要細胞組織数より少なくなる在庫追加必要日を算出し、現在の日付が、上記在庫追加必要日から起算して細胞組織の発注後納期の日数分だけ早い日以降である場合には、在庫管理部１５が上記のような発注に関する情報を出力するようにしてもよい（Ｓ２４，ＹＥＳ）。図１８は、必要細胞組織数の経時変化と、上述した在庫数の経時変化との関係の一例を示したものであり、上述した在庫追加必要日と発注に関する情報の出力タイミングの一例を示したものである。これは、現時点では十分な在庫数があったとしても、細胞組織を培養している間に在庫数が減って必要細胞組織数よりも小さくなる可能性があるからである。
【００９６】
また、さらに、図１８に示すように、現在の日付が、在庫追加必要日から発注後納期を減算した日よりもさらに早い場合でも（Ｓ２４，ＮＯ）、現在の在庫数Ｎが、必要細胞組織数Ｍに所定の予備数を加算した値より小さい場合には（Ｓ２６，ＹＥＳ）、在庫管理部１５が、上記のような発注に関する情報を出力し、現在の在庫数Ｎが、必要細胞組織数Ｍに所定の予備数を加算した値以上である場合に（Ｓ２６，ＮＯ）、上記のような発注に関する情報を出力しないようにしてもよい。なお、上述した所定の予備数は、たとえば図３に示す患者一人当たりの使用数に設定するようにすればよい。これにより、たとえば上述した算出方法によって算出された必要細胞組織数が、１よりも小さい値である場合でも、患者一人分の細胞組織を確実に確保することができる。また、必要細胞組織数が１より大きい値である場合にも患者一人分の細胞組織だけ余裕をもって確保することができる。
【００９７】
また、予備数は、これに限らず、その他の予め設定した一定の数としてもよい。また、図１７に示すフローチャートにおける必要細胞組織数を上述した目標とする在庫数としてもよい。
【００９８】
また、上記実施形態の細胞組織在庫管理システム１，４においては、細胞組織毎の必要細胞組織数を取得し、細胞組織毎の在庫数との比較を行うことによって細胞組織毎の在庫管理を行うようにしたが、さらに、各細胞組織について、組織適合性抗原の型毎の必要細胞組織数を取得し、その在庫数との比較を行うことによって、各細胞組織について、組織適合性抗原の型毎の在庫管理を行うようにしてもよい。なお、この場合、細胞組織ストック装置４０には、各細胞組織について、組織適合性抗原の型毎の在庫数の情報が取得され、その在庫数の情報が、在庫数取得部１４によって取得される。
【００９９】
組織適合性抗原としては、たとえばヒト白血球抗原（ＨＬＡ（Human Leukocyte Antigen）があり、このＨＬＡの型毎に在庫管理することが望ましい。ＨＬＡの型としては、ＨＬＡ−Ａ、ＨＬＡ−Ｂ、ＨＬＡ−ＤＲなどがある。
【０１００】
これらのＨＬＡの型毎の必要細胞組織数を算出する方法としては、たとえば、必要細胞組織数算出部１３が、ＨＬＡの型毎の存在確率を取得し、その取得した存在確率をそれぞれ細胞組織毎の必要細胞組織数に乗算することによって、ＨＬＡの型毎の必要細胞組織数を算出するようにすればよい。ＨＬＡの型毎の存在確率は、ユーザが入力装置２０を用いて設定入力するようにしてもよいし、ＨＬＡの型毎の存在確率が設定登録された外部のデータサーバにアクセスして自動的に取得するようにしてもよい。
【０１０１】
また、上述したようなＨＬＡの型毎の存在確率だけでなく、ＨＬＡの型毎の疾病の発生確率に基づいてＨＬＡの型毎の必要細胞組織数を算出するようにしてもよい。具体的には、たとえば細胞組織が神経である場合、ＨＬＡ-ＤＲＢ＊１５：０１のＨＬＡ型の多発性硬化症の発生確率が相対的に高いので、この型の神経の必要細胞組織数をその他の型の神経の必要細胞組織数よりも多く算出してもよい。
【０１０２】
また、血液の場合、リンパや白血球や赤血球など様々な細胞組織が存在し、それぞれの細胞組織毎に白血病やヘモグロビン量が減少する赤血球の疾病などが存在する。したがって、リンパ、白血球および赤血球の細胞組織毎に、その在庫数を管理することも考えられるが、上述したようなＨＬＡの型毎に在庫数を管理した場合には、その種類が多くなるため、保管スペースや保管コストの問題がある。
【０１０３】
そこで、リンパや白血球や赤血球となる前の、造血幹細胞や前駆細胞として在庫管理するようにしてもよい。造血幹細胞や前駆細胞は、様々な血液の細胞組織に分化誘導することができるので、保管スペースとコストを抑制することができる。なお、幹細胞や前駆細胞の段階で在庫管理する細胞組織は血液に限らず、その他の細胞組織でもよい。
【符号の説明】
【０１０４】
１，４ 細胞組織在庫管理システム
２     患者情報管理サーバ
３     細胞情報管理サーバ
１０   細胞組織在庫管理装置
１１   患者数取得部
１２   細胞組織使用数取得部
１３   必要細胞組織数算出部
１４   在庫数取得部
１５   在庫管理部
１６   制御部
１７   目標在庫数取得部
２０   入力装置
３０   表示装置
４０   細胞組織ストック装置
４１   保存部
４２   細胞情報取得部
４３   制御装置
４４   入力デバイス
４５   表示デバイス
５０   細胞組織在庫管理装置
６０   細胞組織在庫管理装置
【図１】
2016071578.tif 000005
【図２】
2016071578.tif 000006
【図３】
2016071578.tif 000007
【図４】
2016071578.tif 000008
【図５】
2016071578.tif 000009
【図６】
2016071578.tif 000010
【図７】
2016071578.tif 000011
【図８】
2016071578.tif 000012
【図９】
2016071578.tif 000013
【図１０】
2016071578.tif 000014
【図１１】
2016071578.tif 000015
【図１２】
2016071578.tif 000016
【図１３】
2016071578.tif 000017
【図１４】
2016071578.tif 000018
【図１５】
2016071578.tif 000019
【図１６】
2016071578.tif 000020
【図１７】
2016071578.tif 000021
【図１８】
2016071578.tif 000022